(57)【要約】  【課題】優れた作業性により紙ヤスリ等で分離可能な光ファイバテープ心線が今後普及するであろうことに鑑み、係る光ファイバテープ心線を簡便かつ安全に光ファイバ素線に分離できる分離方法及び分離工具を提供する。  【解決手段】  並列に配置された複数の光ファイバ素線を一括被覆して形成された光ファイバテープ心線をそれぞれの光ファイバ素線に分離する光ファイバテープ心線分離工具であって、前記光ファイバテープ心線に押圧されるヤスリ部と、前記光ファイバテープ心線に押圧される複数の小突起が立設した凹凸部を備えたことを特徴とする光ファイバテープ心線分離工具。  【選択図】  図３
2006030684.tif 000002
【特許請求の範囲】
【請求項１】
並列に配置された複数の光ファイバ素線を一括被覆して形成された光ファイバテープ心線をそれぞれの光ファイバ素線に分離する光ファイバテープ心線分離方法であって、前記光ファイバテープ心線の表面をヤスリで擦って傷を入れ、傷の入った前記光ファイバテープ心線を複数の小突起が立設した凹凸部に押圧通過させて前記傷を押し広げてそれぞれの光ファイバ素線に分離することを特徴とする光ファイバテープ心線分離方法。
【請求項２】
並列に配置された複数の光ファイバ素線を一括被覆して形成された光ファイバテープ心線をそれぞれの光ファイバ素線に分離する光ファイバテープ心線分離工具であって、前記光ファイバテープ心線に押圧されるヤスリ部と、前記光ファイバテープ心線に押圧される複数の小突起が立設した凹凸部を備えたことを特徴とする光ファイバテープ心線分離工具。
【請求項３】
請求項２に記載の光ファイバテープ心線分離工具であって、前記ヤスリはＪＩＳ  Ｒ６００１に規定する＃３２０以上２０００以下の紙ヤスリであることを特徴とする光ファイバテープ心線分離工具。
【請求項４】
請求項２又は３に記載の光ファイバテープ心線分離工具であって、前記小突起は高さが０．２５ｍｍ以上、３ｍｍ以下であり、断面積が０．０１ｍｍ２以上０．２ｍｍ２以下であり、ロックウェル硬度がＨＲＲ１０以上、ＨＲＭ１２０以下であり、前記小突起と小突起の間に形成される凹部の前記光ファイバテープ心線長手方向に直交する方向の幅は０．２５ｍｍ以上０．５ｍｍ以下であることを特徴とする光ファイバテープ心線分離工具。
【請求項５】
請求項２から４いずれか一つに記載の光ファイバテープ心線分離工具であって、前記凹凸部は前記光ファイバテープ心線の両面側に設けられ、一方面に設けられた前記凹凸部の前記小突起は他方面に設けられた前記凹凸面の小突起と重なり合うよう配置されていることを特徴とする光ファイバテープ心線分離工具。
【請求項６】
請求項５に記載の光ファイバテープ心線分離工具であって、前記小突起の高さは０．１２５ｍｍ以上、３ｍｍ以下であることを特徴とする光ファイバテープ心線分離工具。
【請求項７】
請求項１から６いずれか一つに記載の光ファイバテープ心線分離工具であって、前記ヤスリ部及び／又は前記凹凸部は弾性部材を介して前記光ファイバテープ心線に押圧されることを特徴とする光ファイバテープ心線分離工具。
【請求項８】
請求項１から７いずれか一つに記載の光ファイバテープ心線分離工具であって、一対のアームを備え、前記アームの一方端には支点が設けられ、前記支点を介して前記一対のアームは相対的に開閉可能に軸支され、前記アームの他方端には前記ヤスリ部と前記凹凸部が設けられ、前記一対のアームは開放側に付勢されていることを特徴とする光ファイバテープ心線分離工具。
【請求項９】
請求項８に記載の光ファイバテープ心線分離工具であって、前記ヤスリ部は前記凹凸部よりも前記支点が設けられた端側に設けられたことを特徴とする光ファイバテープ心線分離工具。
【請求項１０】
請求項８又は９に記載の光ファイバテープ心線分離工具であって、前記一対のアームの閉限を規制する調整可能なストッパを備えることを特徴とする光ファイバテープ心線分離工具。
【発明の詳細な説明】
【技術分野】
【０００１】
本発明は、並列に配置された複数の光ファイバ素線を一括被覆して形成された光ファイバテープ心線をそれぞれの光ファイバ素線に分離する光ファイバテープ心線分離方法及び分離工具に関する。
【背景技術】
【０００２】
近年、光加入線路網の構築が急速に進んでいる。一般住宅に光ファイバを引き込む場合
には、多くの光ファイバ心線が収容されたスロット型アクセスケーブルから必要な光ファ
イバ心線を取り出して、各戸の軒先まで光ファイバ心線を配線（引き落とし）するための
ドロップケーブルに接続する。
光ファイバの戸別軒先への引き落としは、１加入１心線が最低単位となるため、スロッ
ト型アクセスケーブルから任意の１つの光ファイバ心線を取り出して、ドロップケーブル
に接続することが望ましい。そのためにはスロット型アクセスケーブルに収容されている
光ファイバテープ心線を単心の光ファイバ素線に分離して、接続する光ファイバ素線を取り出す必要がある。
【０００３】
図１は、光ファイバ素線の断面を示す断面図である。図２は、複数の光ファイバ素線を
並列配置し、例えば紫外線硬化型樹脂からなるテープ樹脂で被覆した光ファイバテープ心線の横断面を示す断面図である。
一般的に光ファイバテープ心線６は、外径０．１２５ｍｍのガラス製ファイバ１を紫外線硬化型樹脂層３及び着色層４で被覆し外径０．２５ｍｍとした図１に示す光ファイバ素線１を複数個並列に配置し、このように配置された複数の心線を紫外線硬化型樹脂からなるテープ樹脂５によって一括被覆し、図２に示す様な構造をしている。
【０００４】
このような光ファイバテープ心線をその端末部あるいは中間部においてそれぞれの光ファイバ素線に分離する工具として特許文献１に示す分離工具が開示されている。
一方、特に中間部の分離作業を簡単にするため、テープ樹脂の厚さなどを最適化し、紙ヤスリでテープ樹脂に傷を付けることにより分離可能な光ファイバテープ心線を本出願人は既に出願している（特願２００４−１３５６１２）。
【特許文献１】特開２００４−９４１４３号公報
【発明の開示】
【発明が解決しようとする課題】
【０００５】
上述した特許文献１に開示された工具はそれなりに簡便ではあるが、分離のための分割刃を有しており、該分割刃が光ファイバ素線に接触することにより、光ファイバ素線が損傷する懸念がないわけではない。
また、紙ヤスリ等を使用して分離する場合であっても、紙ヤスリ等で擦過した時点で完全には分離できない場合には、指の腹でしごく等の作業が必要である。指の腹でしごく作業は特に工具を必要とせず優れた簡便性を有するが、力を入れすぎた場合などには、光ファイバ素線が損傷する懸念が全くないわけではない。
従って、本発明の目的は、その優れた作業性により紙ヤスリ等で分離可能な光ファイバテープ心線が今後普及するであろうことに鑑み、係る光ファイバテープ心線を簡便かつ安全に光ファイバ素線に分離できる分離方法及び分離工具を提供することにある。
【課題を解決するための手段】
【０００６】
上記目的を達成するため、本発明者等が鋭意検討した結果、紙ヤスリ等で傷を付けた光ファイバテープ心線を小突起を複数立設した凹凸部に押圧通過させることにより光ファイバ素線に分離可能であることを見出した。本発明はこの知見に基きなされたものである。
【０００７】
即ち、請求項１の光ファイバテープ心線分離方法は、並列に配置された複数の光ファイバ素線を一括被覆して形成された光ファイバテープ心線をそれぞれの光ファイバ素線に分離する光ファイバテープ心線分離方法であって、前記光ファイバテープ心線の表面をヤスリで擦って傷を入れ、傷の入った前記光ファイバテープ心線を複数の小突起が立設した凹凸部に押圧通過させて前記傷を押し広げてそれぞれの光ファイバ素線に分離することを特徴とする。
【０００８】
請求項２の光ファイバテープ心線分離工具は、並列に配置された複数の光ファイバ素線を一括被覆して形成された光ファイバテープ心線をそれぞれの光ファイバ素線に分離する光ファイバテープ心線分離工具であって、前記光ファイバテープ心線に押圧されるヤスリ部と、前記光ファイバテープ心線に押圧される複数の小突起が立設した凹凸部を備えたことを特徴とする。
【０００９】
請求項３の光ファイバテープ心線分離工具は、請求項２に記載の光ファイバテープ心線分離工具であって、前記ヤスリはＪＩＳ  Ｒ６００１に規定する＃３２０以上２０００以下の紙ヤスリであることを特徴とする。
【００１０】
請求項４の光ファイバテープ心線分離工具は、請求項２又は３に記載の光ファイバテープ心線分離工具であって、前記小突起は高さが０．２５ｍｍ以上、３ｍｍ以下であり、断面積が０．０１ｍｍ２以上０．２ｍｍ２以下であり、ロックウェル硬度がＨＲＲ１０以上、ＨＲＭ１２０以下であり、前記小突起と小突起の間に形成される凹部の前記光ファイバテープ心線長手方向に直交する方向の幅は０．２５ｍｍ以上０．５ｍｍ以下であることを特徴とする。
【００１１】
請求項５の光ファイバテープ心線分離工具は、請求項２から４いずれか一つに記載の光ファイバテープ心線分離工具であって、前記凹凸部は前記光ファイバテープ心線の両面側に設けられ、一方面に設けられた前記凹凸部の前記小突起は他方面に設けられた前記凹凸面の小突起と重なり合うよう配置されていることを特徴とする。
【００１２】
請求項６の光ファイバテープ心線分離工具は、請求項５に記載の光ファイバテープ心線分離工具であって、前記小突起の高さは０．１２５ｍｍ以上３ｍｍ以下であることを特徴とする。
【００１３】
請求項７の光ファイバテープ心線分離工具は、請求項１から６いずれか一つに記載の光ファイバテープ心線分離工具であって、前記ヤスリ部及び／又は前記凹凸部は弾性部材を介して前記光ファイバテープ心線に押圧されることを特徴とする。
【００１４】
請求項８の光ファイバテープ心線分離工具は、請求項１から７いずれか一つに記載の光ファイバテープ心線分離工具であって、一対のアームを備え、前記アームの一方端には支点が設けられ、前記支点を介して前記一対のアームは相対的に開閉可能に軸支され、前記アームの他方端には前記ヤスリ部と前記凹凸部が設けられ、前記一対のアームは開放側に付勢されていることを特徴とする。
【００１５】
請求項９の光ファイバテープ心線分離工具は、請求項８に記載の光ファイバテープ心線分離工具であって、前記ヤスリ部は前記凹凸部よりも前記支点が設けられた端側に設けられたことを特徴とする。
【００１６】
請求項１０の光ファイバテープ心線分離工具は、請求項８又は９に記載の光ファイバテープ心線分離工具であって、前記一対のアームの閉限を規制する調整可能なストッパを備えることを特徴とする。
【発明の効果】
【００１７】
請求項１の発明によれば、ヤスリで擦って傷の入った光ファイバテープ心線を凹凸部に押圧通過させて分離する。この場合、指の腹でしごく場合のように、光ファイバテープ心線の長手方向と直交する方向への力は作用しない。従って、光ファイバ素線が損傷することを有効に抑制できる。
【００１８】
請求項２の発明によれば、一つの工具にヤスリ部と凹凸部を備えるため、一つの工具で傷を付ける作業と分離する作業が可能となる。
【００１９】
請求項３の発明によれば、紙ヤスリを使用することで、ヤスリ部を容易に調達できるし、目詰まりした場合などのも容易に交換が可能である。また、一連の分離作業に好適なヤスリの粒度を提供することができる。
【００２０】
請求項４の発明によれば、小突起間の凹部の幅が０．２５ｍｍ以上、０．５ｍｍ以下のため、該凹部に例えば直径０．２５ｍｍの光ファイバ素線がうまく入り込み小突起が傷を押し広げるべく有効に作用できる。また、小突起の高さが０．２５ｍｍ以上、３ｍｍ以下としたため、光ファイバ素線が小突起と小突起の間に深く入り込み容易に離脱できなくなることを防止できる。即ち、離脱の際の過大な力により光ファイバ素線を損傷することを抑制できる。また、小突起の断面積は０．０１ｍｍ２以上０．２ｍｍ２以下であるため、傷を押し広げるのに十分な太さを有し、かつ、光ファイバ素線間を必要以上に押し広げることによる光ファイバ素線の損傷を抑制することができる。また、小突起のロックウェル硬度がＨＲＲ１０以上ＨＲＭ１２０以下のため、光ファイバ素線に接触しても光ファイバ素線の損傷を抑制できる。
【００２１】
請求項５の発明によれば、凹凸部が光ファイバテープ心線の両面側から押圧されるので分離作業がより簡便確実に可能となる。また、両面側から押圧される小突起は互いに重なり合う位置に配置されているので、小突起が押圧する力が有効に光ファイバテープ心線に伝達できるとともに小突起間に入り込んだ光ファイバ素線が小突起により押圧されることがない。従って、分離作業がより簡便確実かつ安全に可能となる。
【００２２】
請求項６の発明によれば、光ファイバテープ心線の両面側から押圧される小突起が、互いに重なり合う位置にあり、かつ小突起高さが０．１２５ｍｍ以上３ｍｍ以下であるため、例えば外径が０．２５ｍｍの光ファイバ素線が小突起間の凹部に入り込んだ場合に、凹部底で光ファイバ素線を押圧してしまい光ファイバ素線が損傷することを抑制できる。
【００２３】
請求項７の発明によれば、ヤスリ部及び／又は凹凸部が弾性部材を介して光ファイバテープ心線に押圧されるので、押圧力が過大であった場合、弾性部材がこれを吸収して光ファイバ素線の損傷を抑制することができる。
【００２４】
請求項８の発明によれば、一方側の支点に軸支された一対のアームの開閉動作がヤスリ部及び／又は凹凸部の押圧／解除の動作となり、前記一対のアームは開方向に付勢されているので片手でヤスリ部及び／又は凹凸部の押圧／解除の作業が容易となる。
【００２５】
請求項９の発明によれば、ヤスリ部が凹凸部よりも支点側に位置する、即ち、凹凸部はアームの開放側近くに位置することにより、光ファイバ素線が分離した光ファイバテープ心線をアームの開閉範囲から離脱させる場合に、分離工具のいずれかの部位に接触して光ファイバ素線が損傷することを抑制できる。また、ヤスリでの擦過、凹凸部での分離、離脱という一連の作業が分離工具に支点側から順番に開放端側に向かって行われるため作業性がよい。
【００２６】
請求項１０の発明によれば、アーム閉限を調整できるので、ヤスリ部及び／又は凹凸部が過大な力で光ファイバテープ心線に押圧されることを防止できる。
【発明を実施するための最良の形態】
【００２７】
本発明の光ファイバテープ心線分離方法及び分離工具を図面を参照しながら詳細に説明する。
【００２８】
図３は光ファイバテープ心線分離工具１０の斜視図である。分離工具１０において一対のアーム１１、１２は一方端の支点１３により開閉可能に軸支されている。なお、一対のアーム１１、１２は図示しない板バネ、コイルバネなどのより開方向に付勢されている。
アーム１１、１２の他方端には、ゴムからなる弾性部材１６を介してヤスリ部１４、凹凸部１５が設けられている。アームの適宜な箇所には調整可能なストッパ１７が設けられておりアーム１１、１２の閉限が規制されている。本実施形態においてストッパ１７はオスネジとなっており、回動することによりその高さを調整することができる。なお、図４に示す分離工具１０の閉限においてヤスリ部１４、１４、凹凸部１５、１５は互いに平行となるよう調整することが好ましい。ここで、弾性部材は図５を参照して厚さ３ｍｍ、Ａ寸法が１５ｍｍ、Ｂ寸法が１０ｍｍのシリコンゴムからなり、アーム１１に両面テープ、接着剤などにより取付られている。ヤスリ部１４は弾性部材と同様のＡ寸法、Ｂ寸法を有するＪＩＳ６００１に規定する＃８００の紙ヤスリであり弾性部材１６に両面テープ、接着剤などのより取付けられている。凹凸部１５は複数の小突起１８が立設されたポリプロピレン製のシート状部材であり弾性部材１６に両面テープ、接着剤などで取付けられている。
【００２９】
図６は凹凸部１５の拡大図である。小突起１８は、断面積Ｚが０．０２ｍｍ２、高さｈが０．３ｍｍ、小突起１８、１８間に形成される凹部のＡ寸法方向の幅Ｃは０．３ｍｍ、硬度はロックウェル硬度Ｒスケールで９０（ＨＲＲ９０）である。小突起１８は断面が円形である。図７はアーム１１、１２を閉じた際の凹凸部１５の状態を示したものである。このようにアーム１１に設けられた凹凸部１５の小突起１８とアーム１２に設けられた凹凸部１５の小突起１８は重なり合うよう配置されている。
【００３０】
分離工具１０を使用して光ファイバテープ心線１０をそれぞれの光ファイバ素線１に分離する場合を図８に示す。まず、図８（Ａ）に示すように分離工具１０のヤスリ部１４上に光ファイバテープ心線６をあてがいアーム１１、１２を閉じることにより光ファイバテープ心線６の両面にヤスリ部１４、１４を押圧する。この状態で例えば光ファイバテープ心線６をＪ方向を引張り、ヤスリ部１４、１４と光ファイバテープ心線６を相対移動させる。ヤスリ部１４、１４は光ファイバテープ心線６の表面を擦過することにより光ファイバテープ心線６に傷を付ける。このあと、図８（Ｂ）、（Ｃ）に示すように、光ファイバテープ心線６を凹凸部１５にあてがうように移動させアーム１１、１２を閉じて凹凸部１５、１５を光ファイバテープ心線６に押圧し、光ファイバテープ心線６と凹凸部１５、１５を相対移動させる。こうすることにより、光ファイバテープ心線６に付いた傷が小突起１８により押し広げられ、それぞれの光ファイバ素線１に分離される。なお、この場合、図９に示すように光ファイバ素線１は小突起１８、１８間の凹部に入り込み小突起１８に押圧されることによる損傷が抑制される。また、小突起１８の高さが適正なため、光ファイバ素線１が小突起１８、１８間の凹部に深く入り込み容易に離脱できなくなるというトラブルを防止できる。さらに、凹部底で光ファイバ素線１を押圧してしますことも防止できる。
【００３１】
なお、分離工具１０は図３に示すように通常の開限を片手で握れる程度の角度に設定し、保守開限として図１０に示すよう略１８０度とすることがヤスリ部１４や凹凸部１５の手入れ、交換などの作業上好ましい。このように構成するためには、アーム１１、１２の開限を１８０度程度に設計し、通常開限付近で保持できるようボールプランジャや板バネで保持することで達成できる。
【実施例】
【００３２】
その他の実施例として、ヤスリ部及び／又は凹凸部は光ファイバテープ心線の片面に押圧されるものであってもよい。また、凹凸部が光ファイバテープ心線の両面側に押圧される場合であって、両面側の小突起がそれぞれ重なり合う位置にない態様も適用できる。また小突起は上記実施形態のように断面が円形等の角のない形状の場合や図１３に示すように先端が丸みを帯びている場合には光ファイバ素線の損傷抑制という点で好ましい。また、凹凸部として、市販の面ファスナーの一方側を適用する場合は部材の調達が極めて容易である。また、分離工具としては、一対のアームに開閉によりヤスリ部及び／又は凹凸部を光ファイバテープ心線に押圧する他、直動機構により押圧／解除するもの（図１１）、独立した部材により押圧するもの（図１２）など種々の機構が適用できる。ヤスリ部１４は紙ヤスリ以外に、金属製のものセラミック製のものなど適宜適用可能である。凹凸部１５は樹脂で小突起１８を一体成形して構成するもの、樹脂製、木製、金属製の基材に樹脂製、植物性、動物性の繊維質の小突起１８を埋め込むものなど種々適用できる。また弾性部材はゴムの他に、コイルバネ、板バネ、空気バネなどが適用できる。
【図面の簡単な説明】
【００３３】
【図１】光ファイバ素線の断面図。
【図２】光ファイバテープ心線の断面図。
【図３】本発明の一形態に係る分離工具の斜視図。
【図４】本発明の一形態に係る分離工具の斜視図。
【図５】本発明の一形態に係る分離工具の部分拡大図。
【図６】本発明の一形態に係る分離工具の部分拡大図。
【図７】本発明の一形態に係る分離工具の部分拡大図。
【図８】本発明の一形態に係る分離作業を示す斜視図。
【図９】本発明の一形態に係る分離工具。
【図１０】本発明の一形態に係る分離工具の斜視図。
【図１１】本発明の他の形態に係る分離工具の模式図。
【図１２】本発明の他の形態に係る分離工具の模式図。
【図１３】本発明の他の形態に係る分離工具の小突起の模式図。
【符号の説明】
【００３４】
１      光ファイバ素線
２      ガラス製光ファイバ
３      紫外線硬化型樹脂層
４      着色層
５      テープ樹脂
６      光ファイバテープ心線
１０    分離工具
１１    アーム
１２    アーム
１３    支点
１４    ヤスリ部
１５    凹凸部
１６    弾性部材
１７    ストッパ
１８    小突起
【図１】
2006030684.tif 000003
【図２】
2006030684.tif 000004
【図３】
2006030684.tif 000005
【図４】
2006030684.tif 000006
【図５】
2006030684.tif 000007
【図６】
2006030684.tif 000008
【図７】
2006030684.tif 000009
【図８】
2006030684.tif 000010
【図９】
2006030684.tif 000011
【図１０】
2006030684.tif 000012
【図１１】
2006030684.tif 000013
【図１２】
2006030684.tif 000014
【図１３】
2006030684.tif 000015